(57)【要約】【課題】同一の撮影パラメータを用いて撮影を行った際、容易に撮影パラメータの調整ができるようにする。【解決手段】マスタースタジオ１００の撮像装置１０２で所定のカラーチャート１０４を撮像した結果得られたマスターチャート画像データと撮像装置に設定された撮影パラメータをマスター撮影パラメータとして個別スタジオ１１０および１２０に送る。個別スタジオでは、マスター撮影パラメータを初期サブ撮影パラメータとして撮像装置１１２および１２３に設定し、所定のカラーチャート１１４および１２４を撮像装置で撮影してチャート画像データを得て、マスターチャート画像データとチャート画像データとを比較して、その比較結果に応じて個別スタジオの撮影パラメータを変更する。【選択図】図１
2012195760.tif 000002
【特許請求の範囲】
【請求項１】
マスター撮影処理装置と少なくとも１つのサブ撮影処理装置とが接続され、前記マスター撮影処理装置で得られた撮影情報に応じて前記サブ撮影処理装置における撮影設定を調整するための撮影設定調整システムであって、
前記マスター撮影処理装置は、当該マスター撮影処理装置に備えられたマスター撮像装置で予め定められたカラーチャートを撮像してマスターチャート画像データを得る画像取得手段と、
前記マスター撮像装置に設定された撮影パラメータを取得してマスター撮影パラメータとする撮影パラメータ取得手段と、
前記マスターチャート画像データおよび前記マスター撮影パラメータを前記撮影情報として前記サブ撮影処理装置に配信する撮影情報配信手段とを有し、
前記サブ撮影処理装置は、
前記撮影情報を受信して前記マスター撮影パラメータを初期サブ撮影パラメータとして前記サブ撮影処理装置に備えられたサブ撮像装置に設定する撮影パラメータ設定手段と、
前記予め定められたカラーチャートを前記サブ撮像装置で撮影してサブチャート画像データを得るサブ画像取得手段と、
前記マスターチャート画像データと前記サブチャート画像データとを比較して、その比較結果に応じて前記サブ撮影パラメータを変更する撮影パラメータ変更手段とを有することを特徴とする撮影設定調整システム。
【請求項２】
前記サブ画像取得手段は前記パラメータ変更手段によって前記サブ撮影パラメータが変更されると、前記サブチャート画像データを取得し、
前記撮影パラメータ変更手段は、前記マスターチャート画像データのグレー部分と前記サブチャート画像データのグレー部分と比較して、前記マスターチャート画像のグレー部分と前記サブチャート画像データのグレー部分とのグレー差分が最小となった際における露光量を示す前記サブ撮影パラメータを前記サブ撮影処理装置の撮影パラメータと決定することを特徴とする請求項１に記載の撮影設定調整システム。
【請求項３】
前記撮影パラメータ変更手段は、前記露光量となるコントラストの前記サブ撮影パラメータを前記サブ撮影処理装置の撮影パラメータと決定することを特徴とする請求項２に記載の撮影設定調整システム。
【請求項４】
前記撮影パラメータ変更手段は、前記マスターチャート画像データと前記サブチャート画像データとの間において各色の色相および彩度を比較し、その色差分が最も大きい色について、当該色差分が予め規定された閾値未満となるように前記サブ撮影パラメータを変更することを特徴とする請求項１〜３のいずれか１項に記載の撮影設定調整システム。
【請求項５】
前記マスター撮影パラメータには、少なくともシャッタースピード、絞り値、ＩＳＯ値、および色変換マトリクスが含まれていることを特徴とする請求項１〜４のいずれか１項に記載の撮影設定調整システム。
【請求項６】
前記マスター撮影パラメータには、さらに前記マスター撮像装置の撮像装置機種およびレンズ機種が含まれており、
前記サブ撮影処理装置は、前記マスター撮影パラメータに含まれる撮像装置機種およびレンズ機種の少なくとも１つが前記サブ撮像装置の撮像装置機種およびレンズ機種と異なると警告を発する警告手段を有することを特徴とする請求項５に記載の撮影設定調整システム。
【請求項７】
マスター撮影処理装置と少なくとも１つのサブ撮影処理装置とが接続され、前記マスター撮影処理装置で得られた撮影情報に応じて前記サブ撮影処理装置における撮影設定を調整するための制御方法であって、
前記マスター撮影処理装置が当該マスター撮影処理装置に備えられたマスター撮像装置で予め定められたカラーチャートを撮像してマスターチャート画像データを得る画像取得ステップと、
前記マスター撮像装置に設定された撮影パラメータを取得してマスター撮影パラメータとする撮影パラメータ取得ステップと、
前記マスターチャート画像データおよび前記マスター撮影パラメータを前記撮影情報として前記サブ撮影処理装置に配信する撮影情報配信ステップとを行い、
前記サブ撮影処理装置が、前記撮影情報を受信して前記マスター撮影パラメータを初期サブ撮影パラメータとして前記サブ撮影処理装置に備えられたサブ撮像装置に設定する撮影パラメータ設定ステップと、
前記予め定められたカラーチャートを前記サブ撮像装置で撮影してサブチャート画像データを得るサブ画像取得ステップと、
前記マスターチャート画像データと前記サブチャート画像データとを比較して、その比較結果に応じて前記サブ撮影パラメータを変更する撮影パラメータ変更ステップとを行うことを特徴とする制御方法。
【請求項８】
マスター撮影処理装置と少なくとも１つのサブ撮影処理装置とが接続され、前記マスター撮影処理装置で得られた撮影情報に応じて前記サブ撮影処理装置における撮影設定を調整するための制御プログラムであって、
前記マスター撮影処理装置が備えるコンピュータに、
当該マスター撮影処理装置に備えられたマスター撮像装置で予め定められたカラーチャートを撮像してマスターチャート画像データを得る画像取得ステップと、
前記マスター撮像装置に設定された撮影パラメータを取得してマスター撮影パラメータとする撮影パラメータ取得ステップと、
前記マスターチャート画像データおよび前記マスター撮影パラメータを前記撮影情報として前記サブ撮影処理装置に配信する撮影情報配信ステップとを実行させ、
前記サブ撮影処理装置が備えるコンピュータに、
前記撮影情報を受信して前記マスター撮影パラメータを初期サブ撮影パラメータとして前記サブ撮影処理装置に備えられたサブ撮像装置に設定する撮影パラメータ設定ステップと、
前記予め定められたカラーチャートを前記サブ撮像装置で撮影してサブチャート画像データを得るサブ画像取得ステップと、
前記マスターチャート画像データと前記サブチャート画像データとを比較して、その比較結果に応じて前記サブ撮影パラメータを変更する撮影パラメータ変更ステップとを実行させることを特徴とする制御プログラム。
【請求項９】
マスター撮影処理装置から送られた撮影情報に応じて撮影設定を調整するための情報処理装置であって、
前記撮影情報には前記マスター撮影処理装置に備えられたマスター撮像装置で予め定められたカラーチャートを撮像してマスターチャート画像データと、前記マスター撮像装置に設定された撮影パラメータであるマスター撮影パラメータとが含まれており、
前記撮影情報を受信して前記マスター撮影パラメータを初期サブ撮影パラメータとしてサブ撮像装置に設定する撮影パラメータ設定手段と、
前記予め定められたカラーチャートを前記サブ撮像装置で撮影してサブチャート画像データを得る画像取得手段と、
前記マスターチャート画像データと前記サブチャート画像データとを比較して、その比較結果に応じて前記サブ撮影パラメータを変更する撮影パラメータ変更手段とを有することを特徴とする情報処理装置。
【請求項１０】
マスター撮影処理装置から送られた撮影情報に応じて撮影設定を調整するための情報処理装置で用いられる制御方法であって、
前記撮影情報には前記マスター撮影処理装置に備えられたマスター撮像装置で予め定められたカラーチャートを撮像してマスターチャート画像データと、前記マスター撮像装置に設定された撮影パラメータであるマスター撮影パラメータとが含まれており、
前記撮影情報を受信して前記マスター撮影パラメータを初期サブ撮影パラメータとしてサブ撮像装置に設定する撮影パラメータ設定ステップと、
前記予め定められたカラーチャートを前記サブ撮像装置で撮影してサブチャート画像データを得る画像取得ステップと、
前記マスターチャート画像データと前記サブチャート画像データとを比較して、その比較結果に応じて前記サブ撮影パラメータを変更する撮影パラメータ変更ステップとを有することを特徴とする制御方法。
【請求項１１】
マスター撮影処理装置から送られた撮影情報に応じて撮影設定を調整するための情報処理装置で用いられる制御プログラムであって、
前記情報処理装置が備えるコンピュータに、
前記撮影情報には前記マスター撮影処理装置に備えられたマスター撮像装置で予め定められたカラーチャートを撮像してマスターチャート画像データと、前記マスター撮像装置に設定された撮影パラメータであるマスター撮影パラメータとが含まれており、
前記撮影情報を受信して前記マスター撮影パラメータを初期サブ撮影パラメータとしてサブ撮像装置に設定する撮影パラメータ設定ステップと、
前記予め定められたカラーチャートを前記サブ撮像装置で撮影してサブチャート画像データを得る画像取得ステップと、
前記マスターチャート画像データと前記サブチャート画像データとを比較して、その比較結果に応じて前記サブ撮影パラメータを変更する撮影パラメータ変更ステップとを実行させることを特徴とする制御プログラム。
【請求項１２】
撮像装置における撮影パラメータである露出パラメータを調整する情報処理装置であって、
前記撮像装置によって撮影された所定のグレーを含むカラーチャートを撮影した結果である撮影画像を表示部に表示するとともに、前記撮影画像を得る際に用いられた露出パラメータを前記表示部に表示する表示制御手段と、
前記露出パラメータの調整が指定されるとともに、前記撮影画像における露出調整位置が指定されると、当該露出調整位置を中心とする所定の領域においてその平均輝度を算出する輝度算出手段と、
前記平均輝度と所定の露出における輝度との差分に応じて露出補正量を決定する露出調整決定手段と、
前記露出補正量に応じて前記露出パラメータを調整するパラメータ調整手段とを有し、
前記表示制御手段は、調整後の露出パラメータに応じて前記撮影画像を補正して前記表示部に再表示することを特徴とする情報処理装置。
【請求項１３】
前記パラメータ調整手段は、前記露出補正量を、調整が指定された前記露出パラメータの各々に予め指定された重み付けに応じて割り振ることを特徴とする請求項１２に記載の情報処理装置。
【請求項１４】
前記パラメータ調整手段で調整された前記露出パラメータを前記撮像装置に送信する送信手段を有することを特徴とする請求項１２又は１３に記載の情報処理装置。
【請求項１５】
前記差分が前記撮像装置で調整可能な範囲を超えていると、警告を発する警告手段を有することを特徴とする請求項１２〜１４のいずれか１項に記載の情報処理装置。
【請求項１６】
撮像装置における撮影パラメータである露出パラメータを調整する情報処理装置で用いられる制御方法であって、
前記撮像装置によって撮影された所定のグレーを含むカラーチャートを撮影した結果である撮影画像を表示部に表示するとともに、前記撮影画像を得る際に用いられた露出パラメータを前記表示部に表示する表示制御ステップと、
前記露出パラメータの調整が指定されるとともに、前記撮影画像における露出調整位置が指定されると、当該露出調整位置を中心とする所定の領域においてその平均輝度を算出する輝度算出ステップと、
前記平均輝度と所定の露出における輝度との差分に応じて露出補正量を決定する露出調整決定ステップと、
前記露出補正量に応じて前記露出パラメータを調整するパラメータ調整ステップと、
調整後の露出パラメータに応じて前記撮影画像を補正して前記表示部に再表示する再表示制御ステップとを有することを特徴とする制御方法。
【請求項１７】
撮像装置における撮影パラメータである露出パラメータを調整する情報処理装置で用いられる制御プログラムであって、
前記情報処理装置が備えるコンピュータに、
前記撮像装置によって撮影された所定のグレーを含むカラーチャートを撮影した結果である撮影画像を表示部に表示するとともに、前記撮影画像を得る際に用いられた露出パラメータを前記表示部に表示する表示制御ステップと、
前記露出パラメータの調整が指定されるとともに、前記撮影画像における露出調整位置が指定されると、当該露出調整位置を中心とする所定の領域においてその平均輝度を算出する輝度算出ステップと、
前記平均輝度と所定の露出における輝度との差分に応じて露出補正量を決定する露出調整決定ステップと、
前記露出補正量に応じて前記露出パラメータを調整するパラメータ調整ステップと、
調整後の露出パラメータに応じて前記撮影画像を補正して前記表示部に再表示する再表示制御ステップとを実行させることを特徴とする制御プログラム。
【発明の詳細な説明】
【技術分野】
【０００１】
本発明は、互いに遠隔にある撮影スタジオにおいて、同質の画像を撮影できるように撮像装置の撮影条件の調整を行うための技術に関する。
【背景技術】
【０００２】
一般に、記念写真を撮影する際には、撮影スタジオにおいては、複数台のデジタルカメラによって被写体を撮影した結果得られた画像データを用いて、記念写真を印刷するようにしている（例えば、特許文献１参照）。
【先行技術文献】
【特許文献】
【０００３】
【特許文献１】特開２００３−２５９１２４号公報
【発明の開示】
【発明が解決しようとする課題】
【０００４】
ところで、記念写真を撮影する際には、撮影シーン毎（例えば、結婚式、七五三）に基準となる撮影パラメータ（シャッタースピード、絞り値、ＩＳＯ値、色変換マトリクスなど）をセンターで作成する。そして、撮影パラメータを各撮影スタジオに配信して、撮影シーン毎の色味の品質を一定に保つようにしている。
【０００５】
ところが、各撮影スタジオが、センターから配信された同一の撮影パラメータを用いても、撮影機材、光源、および室内の状態などの外的環境の相違いから、撮影スタジオ毎に撮影された画像データの色味が異なってしまう場合がある。
【０００６】
このため、従来、全ての撮影スタジオにおいて画像データを同一の色味にするためには、専門知識を有する技術スタッフが撮影パラメータの調整を手動で行う必要がある。従って、撮影スタジオ毎に技術スタッフを配置しなければならず、撮影スタジオにとってはコスト削減が困難であるという課題がある。
【０００７】
従って、本発明の目的は、同一の撮影パラメータを用いて撮影を行った際、容易に撮影パラメータの調整ができる撮影設定調整システム、情報処理装置、およびその制御方法、並びに制御プログラムを提供することにある。
【課題を解決するための手段】
【０００８】
上記の目的を達成するため、本発明による撮影設定調整システムは、マスター撮影処理装置と少なくとも１つのサブ撮影処理装置とが接続され、前記マスター撮影処理装置で得られた撮影情報に応じて前記サブ撮影処理装置における撮影設定を調整するための撮影設定調整システムであって、前記マスター撮影処理装置は、当該マスター撮影処理装置に備えられたマスター撮像装置で予め定められたカラーチャートを撮像してマスターチャート画像データを得る画像取得手段と、前記マスター撮像装置に設定された撮影パラメータを取得してマスター撮影パラメータとする撮影パラメータ取得手段と、前記マスターチャート画像データおよび前記マスター撮影パラメータを前記撮影情報として前記サブ撮影処理装置に配信する撮影情報配信手段とを有し、前記サブ撮影処理装置は、前記撮影情報を受信して前記マスター撮影パラメータを初期サブ撮影パラメータとして前記サブ撮影処理装置に備えられたサブ撮像装置に設定する撮影パラメータ設定手段と、前記予め定められたカラーチャートを前記サブ撮像装置で撮影してサブチャート画像データを得るサブ画像取得手段と、前記マスターチャート画像データと前記サブチャート画像データとを比較して、その比較結果に応じて前記サブ撮影パラメータを変更する撮影パラメータ変更手段とを有することを特徴とする。
【０００９】
本発明による情報処理装置は、マスター撮影処理装置から送られた撮影情報に応じて撮影設定を調整するための情報処理装置であって、前記撮影情報には前記マスター撮影処理装置に備えられたマスター撮像装置で予め定められたカラーチャートを撮像してマスターチャート画像データと、前記マスター撮像装置に設定された撮影パラメータであるマスター撮影パラメータとが含まれており、前記撮影情報を受信して前記マスター撮影パラメータを初期サブ撮影パラメータとしてサブ撮像装置に設定する撮影パラメータ設定手段と、
前記予め定められたカラーチャートを前記サブ撮像装置で撮影してサブチャート画像データを得る画像取得手段と、前記マスターチャート画像データと前記サブチャート画像データとを比較して、その比較結果に応じて前記サブ撮影パラメータを変更する撮影パラメータ変更手段とを有することを特徴とする。
【００１０】
また、本発明による情報処理装置は、撮像装置における撮影パラメータである露出パラメータを調整する情報処理装置であって、前記撮像装置によって撮影された所定のグレーを含むカラーチャートを撮影した結果である撮影画像を表示部に表示するとともに、前記撮影画像を得る際に用いられた露出パラメータを前記表示部に表示する表示制御手段と、前記露出パラメータの調整が指定されるとともに、前記撮影画像における露出調整位置が指定されると、当該露出調整位置を中心とする所定の領域においてその平均輝度を算出する輝度算出手段と、前記平均輝度と所定の露出における輝度との差分に応じて露出補正量を決定する露出調整決定手段と、前記露出補正量に応じて前記露出パラメータを調整するパラメータ調整手段とを有し、前記表示制御手段は、調整後の露出パラメータに応じて前記撮影画像を補正して前記表示部に再表示することを特徴とする。
【発明の効果】
【００１１】
本発明によれば、撮影スタジオに専門知識を備える技術スタッフがいない場合であっても、撮影スタジオ毎に撮像装置の撮影パラメータを簡単に調整することができる。これによって、複数の撮影スタジオにおいて色味が統一されて、品質基準を維持することができる。
【００１２】
さらに、本発明によれば、撮像装置で撮影した所定のグレーを含むカラーチャート画像を情報処理装置に表示して、露出調整後の画像を確認しながら、適正な露出の画像を得るための露出パラメータを容易に得ることができる。
【図面の簡単な説明】
【００１３】
【図１】本発明の第１の実施形態による撮影設定調整システムの一例についてその構成を示す図である。
【図２】図１に示す撮影設定調整システムにおいてマスタースタジオで用いられる情報処理装置を説明するためのブロック図である。
【図３】図１に示す撮影設定調整システムにおいて個別スタジオで用いられる個別スタジオ情報処理装置を説明するためのブロック図である。
【図４】図１に示すマスタースタジオにおけるマスター撮影情報配信の処理を説明するためのフローチャートである。
【図５】図２に示すＵＩ部に表示されるマスター撮影情報配信画面の一例を示す図である。
【図６】図３に示す個別スタジオで行われる調整撮影処理を説明するためのフローチャートである。
【図７】調整項目が露出調整である際の図３に示す調整撮影制御部の処理を説明するためのフローチャートである。
【図８】図７に示す露出調整における適正露出判定を説明するための図であり、（ａ）は図１に示すマスタースタジオで撮影されたカラーチャート画像データを示す図、（ｂ）は図１に示す個別スタジオで撮影されたカラーチャート画像データを示す図である。
【図９】調整項目がコントラスト調整である際の図３に示す調整撮影制御部の処理を説明するためのフローチャートである。
【図１０】調整項目が色味調整である際の図３に示す調整撮影制御部の処理を説明するためのフローチャートである。
【図１１】本発明の第２の実施形態による撮影設定調整システムの一例についてその構成を示す図である。
【図１２】図１１に示す撮像装置および情報処理装置のハード構成を説明するための図である。
【図１３】図１１に示す撮影設定調整システムにおける露出パラメータ調整の事前準備を説明するためのフローチャートである。
【図１４】図１２に示す撮像装置が撮影指示を受けた際の動作を説明するためのフローチャートである。
【図１５】図１２に示す撮像装置が撮影パラメータを受けた際の動作を説明するためのフローチャートである。
【図１６】図１２に示す情報処理装置の表示部に表示されるＧＵＩ画面の一例を示す図である。
【図１７】図１２に示す情報処理装置において操作者から撮影指示を受けた際の処理を説明するためのフローチャートである。
【図１８】図１２に示す情報処理装置における露出調整位置指定の際の処理を説明するためのフローチャートである。
【図１９】図１２に示す情報処理装置において露出パラメータが個別に入力され際の処理を説明するためのフローチャートである。
【図２０】図１８で説明した露出判定における露出調整段数および重み付けを説明するための図であって、（ａ）は露出調整位置指定において平均輝度値に応じて露出調整量を求める際に用いられる表を示す図、（ｂ）は露出調整量から露出調整段数を求める際に用いられる表を示す図、（ｃ）は露出調整量から絞り変更量を求める際に用いられる表を示す図、（ｄ）は露出調整量からＩＳＯスピードの変更量を求める際に用いられる表を示す図である。
【発明を実施するための形態】
【００１４】
以下、本発明の実施の形態による撮影設定調整システムの一例について図面を参照して説明する。なお、以下に説明する実施の形態は一例であり、本発明が適用される装置の構成や各種条件によって適宜修正又は変更されるべきものであり、本発明は以下の実施の形態に限定されるものではない。
【００１５】
（第１の実施形態）
ここでは、複数の店舗（撮影スタジオ）を有する写真館において、どの店舗で撮影しても同一の色味の撮影結果（画像データ）を得るための撮影設定調整システムについて説明する。
【００１６】
図１は、本発明の第１の実施形態による撮影設定調整システムの一例についてその構成を示す図である。
【００１７】
マスタースタジオ１００は、全ての撮影スタジオ（個別スタジオともいう）で使用する撮影シーン（例えば、結婚式又は七五三）毎に適した撮影パラメータを決定するスタジオである。なお、このマスタースタジオ１００も撮影スタジオである。
【００１８】
マスタースタジオ１００において、撮像装置１０２（マスター撮像装置）は、情報処理装置１０３（マスター撮影処理装置）に対して、シャッタースピード、絞り値、ＩＳＯ値、および色変換マトリクスなどを撮影パラメータとして出力する。そして、撮像装置１０２は、例えば、被写体１０５を撮影した結果得られた画像データを情報処理装置１０３に出力する。また、撮像装置１０２は装着レンズおよびストロボなどの外部光源に関する情報（撮影機材情報）を出力することができる。
【００１９】
なお、カラーチャート１０４は、複数の無彩色のパッチからなるグレーチャートを含む規定のカラーチャートである。
【００２０】
個別スタジオ１１０および１２０の各々は、顧客に対して写真撮影のサービスを提供するスタジオ写真館のスタジオである。個別スタジオ１１０および１２０には、それぞれ撮像装置１１２および１２２（サブ撮像装置）、カラーチャート１１４および１２４、そして、個別スタジオ情報処理装置１１１および１２１（サブ撮影処理装置）が備えられている。
【００２１】
なお、図示の例では、２つの個別スタジオ１１０および１２０のみが示されているが、実際には複数の個別スタジオが存在し、各個別スタジオは同一の構成となっている。従って、以下の説明では、個別スタジオ１１０に注目して説明を行う。
【００２２】
個別スタジオ１１０において、個別スタジオ情報処理装置１１１は、マスタースタジオ１００において決定された撮影パラメータ、撮影機材情報、およびカラーチャート１０４を撮影した画像データ（サブチャート画像データ）を収集する。また、個別スタジオ情報処理装置１１１は、撮像装置１１２に対して撮影パラメータ（サブ撮影パラメータ）を設定し、リモート撮影を指示する。さらに、個別スタジオ情報処理装置１１１は、撮像装置１１２による撮影の結果得られた画像データを取得する。
【００２３】
個別スタジオ１１０で用いられるカラーチャート１１４は、輝度および色味をマスタースタジオ１００のカラーチャート１０４に合わせるために使用される。このカラーチャート１１４はマスタースタジオ１００で用いられるカラーチャート１０４と同一のものである。
【００２４】
また、撮像装置１１２、撮像装置１１２に装着されるレンズおよびストロボなどの外部光源は、露出および発色の特性を合わせるため、マスタースタジオ１００で用いられる製品と同一の製品を使用することが望ましい。
【００２５】
図２は、図１に示す撮影設定調整システムにおいてマスタースタジオ１００で用いられる情報処理装置１０３を説明するためのブロック図である。
【００２６】
情報処理装置１０３はユーザインタフェース（ＵＩ）部２０１を有しており、このＵＩ部２０１は、撮影スタッフに対してマスター撮影情報配信処理の開始を指示するユーザインターフェースを提供する。
【００２７】
ここで、マスター撮影情報配信処理とは、情報処理装置１０３が現在の撮影パラメータとカラーチャート撮影画像および撮影機材情報とを撮像装置１０２から収集して、個別スタジオ１１０および１２０に配信する処理である。
【００２８】
リモート制御部２０５は、撮像装置１０２と論理接続され、撮影パラメータの収集、リモート撮影指示、および撮影画像データ（例えば、カラーチャート撮影画像データ）の取得を行う。
【００２９】
撮影パラメータ保存部２０２は、リモート制御部２０５が取得した撮影パラメータを保存する。撮影画像保存部２０３は、リモート制御部２０５が取得したカラーチャート撮影画像データを保存する。
【００３０】
撮影機材情報保存部２０７は、リモート制御部２０５が収集した撮像装置に関する情報、レンズ情報、および外部光源情報などの撮影機材情報を保存する。配信制御部２０４は、ＵＩ部２０１からマスター撮影情報配信処理の開始指示を受ける。
【００３１】
マスター撮影情報配信処理開始指示を受けると、配信制御部２０４はリモート制御部２０５を介してカラーチャートのリモート撮影を行う。そして、配信制御部２０４は撮影シーンに適した撮影パラメータと、当該撮影パラメータで撮影したカラーチャート画像データと、撮影機材情報とを収集してマスター撮影情報を作成する。そして、配信制御部２０４はスタジオ間通信制御部２０６を介して個別スタジオ１１０および１２０にマスター撮影情報を配信する。
【００３２】
図３は、図１に示す撮影設定調整システムにおいて個別スタジオで用いられる個別スタジオ情報処理装置を説明するためのブロック図である。
【００３３】
なお、ここでは、個別スタジオ１１０で用いられる個別スタジオ情報処理装置１１１が示されているが、個別スタジオ１２０で用いられる個別スタジオ情報処理装置１２１も個別スタジオ情報処理装置１１１と同様の構成を有している。
【００３４】
個別スタジオ情報処理装置１１１はスタジオ間通信制御部３１４を有している。スタジオ間通信制御部３１４は、マスタースタジオ１００のスタジオ間通信制御部２０６から配信されたマスター撮影情報を取得する。そして、マスター撮影情報のうち、撮影パラメータはマスター撮影パラメータ保存部３１２で保存される。マスター撮影情報のうち、カラーチャート画像は、マスターチャート画像保存部３１３で保存される。マスター撮影情報のうち、撮影機材情報はマスター撮影機材情報保存部３２３で保存される。
【００３５】
スタジオ間通信制御部３１４は取得済みのマスター撮影情報を、ＵＩ部３１９に通知する。これによって、ＵＩ部３１９は撮影シーン毎のマスター撮影情報取得状況を画面表示する。また、ＵＩ部３１９は、個別スタジオ１１０のスタッフに対して、調整撮影処理の開始を指示するためのユーザインタフェースを提供する。
【００３６】
ここで、調整撮影処理とは、マスター撮影パラメータを初期値（初期サブ撮影パラメータ）から変更しながらカラーチャート１１４の撮影を繰り返し、マスターチャート画像データの輝度、コントラスト、および色味に近づくように調整する処理である。
【００３７】
この調整撮影処理は、同一の撮影パラメータで撮影した結果得られた画像データでも、マスタースタジオ１００と個別スタジオ１１０又は１２０との撮影環境の相違によって画像データの色味が異なってしまうという問題を解決するために行う処理である。この調整撮影処理は撮影シーン毎に行う必要があり、顧客を対象とした商用撮影の前に実施される。
【００３８】
リモート制御部３１５は、撮像装置１１２と論理接続され、撮像装置１１２に対して撮影パラメータの設定を行うとともに、撮像装置１１２から撮影機材情報の取得を行って、リモート撮影指示および撮影画像データの取得を行う。
【００３９】
警告表示制御部３２０は、調整撮影制御部３２１から通知を受けて、ＵＩ部３１９に警告を表示する。撮影パラメータ制御部３１８は、リモート制御部３１５を介して撮像装置１１２の撮影パラメータを設定する。調整撮影の際には、撮影パラメータ制御部３１８はマスター撮影パラメータ保存部３１２からマスター撮影パラメータを取得して、撮像装置１１２に初期値として設定する。その後、撮影パラメータ制御部３１８は調整撮影制御部３２１の指示を受けて撮像装置の撮影パラメータを変更する。
【００４０】
撮影画像保存部３１６は、撮像装置１１２による撮影の結果得られた撮影画像データをリモート制御部３１５から受け取って保存する。撮影機材情報保存部３２２は、リモート制御部３１５が収集した撮像装置１１２に関する情報（撮像装置情報）、装着レンズ情報、および外部光源情報などの撮影機材情報を保存する。
【００４１】
比較部３１７は、マスターチャート画像保存部３１３に保存されたマスターチャート画像データと、撮影画像保存部３１６に保存されたカラーチャート画像データとを比較して、その差分情報（単に差分ともいう）を調整撮影制御部３２１に送る。具体的には、比較部３１７は、指定されたパッチの輝度および色相・彩度を比較するが、その比較すべき項目について、比較部３１７は調整撮影制御部３２１から指示を受ける。
【００４２】
さらに、比較部３１７は、マスター撮影機材情報保存部３２３と撮影機材情報保存部３２２とから情報を収集して、カメラ機種（撮像装置機種）、レンズ機種、および外部光源の機材がマスタースタジオで用いられたものと同等であるか否かについて比較する。
【００４３】
調整撮影制御部３２１は、ＵＩ部３１９から調整撮影処理の開始指示を受けると、以下の手順で調整撮影処理を行う。
【００４４】
調整撮影制御部３２１は、リモート制御部３１５を介して撮像装置１１２に対してリモート撮影を指示して、撮像装置１１２によってカラーチャート１１４を撮影する。続いて、調整撮影制御部３２１は撮像装置１１２から取得した今回撮影のカラーチャート画像データとマスターチャート画像データとを比較部３１７によって比較して、次の撮影の際の撮影パラメータを決定する。
【００４５】
調整撮影制御部３２１は、撮影パラメータを撮影パラメータ制御部３１８に対して指示して、撮像装置１１２における撮影パラメータを変更する。このようにして、撮影パラメータを変更しつつリモート撮影を繰り返し行う。最終的にマスターチャート画像データに最も近い撮影パラメータを検出すると、調整撮影制御部３２１は当該撮影パラメータを撮影パラメータ保存部３２４に該当シーンの個別スタジオ専用撮影パラメータとして保存し、調整撮影処理を完了する。
【００４６】
図４は、図１に示すマスタースタジオ１００におけるマスター撮影情報配信の処理を説明するためのフローチャートである。
【００４７】
ここで、図２および図４を参照して、マスタースタジオ１００におけるマスター撮影情報配信の際の動作について説明する。
【００４８】
まず、ステップＳ４０１において、マスタースタジオ１００では撮影シーンに合わせた撮影パラメータの決定が行われる。ステップＳ４０１は、マスタースタジオ１００において、撮影に関する専門知識を有する技術スタッフが行うものである。ここでは、撮像装置１０２の撮影パラメータを変更しつつ、撮影シーンに適した被写体１０５の撮影を繰り返して、ある撮影シーン（例えば、白いドレスを着た花嫁のポートレート）を撮影する際に最も好適とみなされる撮影パラメータが決定される。
【００４９】
続いて、ユーザ（つまり、マスタースタジオ１００のスタッフ）が前述のマスター撮影情報配信処理開始指示を行う（ステップＳ４０２）。ここでは、所定の位置にカラーチャート１０４を設置して、情報処理装置１０３のＵＩ部２０１から、スタッフがマスター撮影情報配信処理開始指示を行う。ＵＩ部２０１はマスター撮影情報配信処理開始指示を受けると、配信制御部２０４に対して、マスター撮影情報配信処理の実行を依頼する。
【００５０】
ここで、マスター撮影情報配信の手法について説明すると、マスター撮影情報は、ある撮影シーンに特化したものであるため、ＵＩ部２０１において、撮影シーンを一意に示す名称を選択又は命名することができる。
【００５１】
図５は、図２に示すＵＩ部２０１に表示されるマスター撮影情報配信画面の一例を示す図である。
【００５２】
図５において、マスター撮影情報配信画面５００は、マスター撮影情報配信を指示するための画面である。マスター撮影情報配信画面５００には、カメラ情報５０１、撮影シーン名記入欄５０２、および開始ボタン５０３が表示される。
【００５３】
カメラ情報５０１には、情報処理装置１０３が接続された撮像装置１０２に関する情報、撮像装置１０２で収集可能な撮影機材情報、および撮影パラメータが表示される。撮影シーン名記入欄５０２は、配信するマスター撮影情報に、ユーザが任意の名称を付与するためのテキスト入力エリアである。撮影パラメータおよび撮影シーン名の記入に問題がなければ、開始ボタン５０３を押下すると、ＵＩ部２０１に対してマスター撮影情報配信処理の開始を指示することができる。
【００５４】
再び、図２および図４を参照して、配信制御部２０４は、リモート制御部２０５を介して、撮像装置１０２から現在の撮影パラメータと撮影機材情報（撮像装置の機種、装着レンズの機種、およびストロボなどの外部光源機種など）を取得する（ステップＳ４０３）。ここで、撮影パラメータはシャッタースピード、絞り値、ＩＳＯ値、および色変換マトリクスなどである。そして、配信制御部２０４は取得した撮影パラメータを、撮影パラメータ保存部２０２に保存するとともに、撮影機材情報を撮影機材情報保存部２０７に保存する。
【００５５】
次に、配信制御部２０４は、リモート制御部２０５を介して、撮像装置１０２に対してリモート撮影を指示する。撮像装置１０２は、予め設置されたカラーチャート１０４を撮影する（ステップＳ４０４）。撮像装置１０２による撮影の結果得られた画像データはリモート制御部２０５で取得されて、撮影画像保存部２０３に保存される（ステップＳ４０５）。
【００５６】
続いて、配信制御部２０４は、撮影パラメータ保存部２０２、撮影画像保存部２０３、および撮影機材情報保存部２０７から、保存された情報を取得してマスター撮影情報を作成する。そして、スタジオ間通信制御部２０６を介して個別スタジオ１１０および１２０に配信し（ステップＳ４０６）、マスター撮影配信情報処理を終了する。
【００５７】
次に、図１に示す個別スタジオの各々における調整撮影実行の際の動作について説明する。なお、ここでは、個別スタジオ１１０における調整撮影実行について説明するが、個別スタジオ１２０においても同様にして調整撮影が実行される。
【００５８】
図６は、図２に示す個別スタジオで行われる調整撮影処理を説明するためのフローチャートである。
【００５９】
図３および図６を参照して、個別スタジオ１１０においては、マスター撮影情報が配信されると、スタジオ間通信制御部３１４がマスター撮影情報を取得する。そして、スタジオ間通信制御部３１４は、マスター撮影情報のうち撮影パラメータをマスター撮影パラメータ保存部３１２に保持する（ステップＳ６０１）。また、スタジオ間通信制御部３１４は、マスター撮影情報のうち撮影機材情報をマスター撮影機材情報保存部３２３で保持する。
【００６０】
続いて、スタジオ間通信制御部３１４は、マスター撮影情報のうちカラーチャート撮影画像データをマスターチャート画像保存部３１３に保持する（ステップＳ６０２）。
【００６１】
次に、個別スタジオ１１０において、スタッフがＵＩ部３１９から調整撮影処理の開始を指示する（ステップＳ６０３）。なお、当該スタッフは撮影に関する専門知識を有する必要はない。ここでは、スタッフは所定の位置にカラーチャート１１４を設置して、ＵＩ部３１９で調整撮影処理の開始を指示する。ＵＩ部３１９は、調整撮影処理の開始を指示されると、調整撮影制御部３２１に調整撮影処理を依頼する。
【００６２】
調整撮影制御部３２１は、マスター撮影機材情報保存部３２３に保存されたマスタースタジオ１００の撮影機材情報と、撮影機材情報保存部３２２に保存され撮影機材情報とで、同一の撮影機材が使われている否かを比較部３１７に依頼する（ステップＳ６０４）。なお、撮影機材情報保存部３２２に保存され撮影機材情報とは、撮像装置１１２から収集した撮影機材情報である。
【００６３】
比較の結果、撮影機材が異なると（ステップＳ６０４において、ＮＯ）、調整撮影制御部３２１は警告表示制御部３２０にその旨通知する。これによって、警告表示制御部３２０は、ＵＩ部３１９によって撮影機材がマスタースタジオのものと異なることを喚起するための警告を表示する（ステップＳ６０５）。
【００６４】
なお、調整撮影制御部３２１は、撮影パラメータ制御部３１８に対して、撮像装置１１２の初回撮影パラメータの設定を依頼する。撮影パラメータ制御部３１８は、マスター撮影パラメータ保存部３１２から撮影パラメータ（マスター撮影パラメータ）を取得して、リモート制御部３１５を介して撮像装置１１２に当該撮影パラメータを設定する。
【００６５】
比較の結果、撮影機材が同一であると判定されると（ステップＳ６０４において、ＹＥＳ）、処理はステップＳ６０６に移行する。なお、ステップＳ６０５の処理が行われた後、処理はステップＳ６０６に移行する。
【００６６】
図６に示すステップＳ６０６〜Ｓ６０９の処理は、調整撮影処理における調整項目毎に行われる。図示の例では、調整項目として、露出調整、コントラスト調整、および色味調整がある。
【００６７】
まず、調整撮影制御部３２１はリモート制御部３１５を介して撮像装置１１２に対してリモート撮影を指示する（ステップＳ６０６）。これによって、撮像装置１１２によってカラーチャート１１４が撮影されて、リモート制御部３１５がその撮影画像データを取得して、撮影画像保存部３１６に保持する。
【００６８】
続いて、調整撮影制御部３２１は比較部３１７に、調整項目について、マスターチャート画像保存部３１３に保持されたマスターチャート画像データと、撮影画像保存部３１６に保持されたカラーチャート撮影画像データとの比較を依頼する（ステップＳ６０７）。
【００６９】
そして、比較の結果を受けて、調整撮影制御部３２１は次の撮影の撮影パラメータを決定し、撮影パラメータ制御部３１８に撮像装置１１２の撮影パラメータ変更を依頼する（ステップＳ６０８）。
【００７０】
続いて、調整撮影制御部３２１は予め定められた終了条件が満たされたか否かを判定する（ステップＳ６０９）。終了条件が満たされないと（ステップＳ６０９において、ＮＯ）、調整撮影制御部３２１はステップＳ６０６の処理に戻る。
【００７１】
一方、終了条件が満たされると（ステップＳ６０９において、ＹＥＳ）、つまり、全ての調整項目について最も適正な撮影パラメータを検出すると、調整撮影制御部３２１は調整撮影処理を終了する。
【００７２】
このようにして、調整撮影制御部３２１はステップＳ６０６〜Ｓ６０９の処理を繰り返して、調整項目毎に最も適正な撮影パラメータを検出する。調整撮影処理が終了した際、撮像装置１１２の撮影パラメータは個別スタジオ専用撮影パラメータ保存部２２４に保存される。
【００７３】
次に、図３に示す調整撮影制御部３２１における調整項目毎の処理について説明する。
【００７４】
図７は、調整項目が露出調整である際の図３に示す調整撮影制御部３２１の処理を説明するためのフローチャートである。
【００７５】
露出調整処理が開始されると、調整撮影制御部３２１は、マスター撮影パラメータを初期値として撮像装置１１２に設定して、カラーチャート１１４の撮影を行ったか否かを確認する（ステップＳ７０１：自スタジオ未撮影）。未撮影であると（ステップＳ７０１において、ＹＥＳ）、調整撮影制御部３２１は初回撮影を実行する（ステップＳ７０２）。
【００７６】
続いて、調整撮影制御部３２１は、比較部３１７に依頼して、平均輝度のグレーパッチ（グレー部分ともいう）について、マスターチャートと自スタジオ撮影のカラーチャートにおける輝度値の差分を求める（ステップＳ７０３）。なお、撮影済みであれば（ステップＳ７０１において、ＮＯ）、調整撮影制御部３２１はステップＳ７０３の処理を実行する。
【００７７】
図８は、図７に示す露出調整における適正露出判定を説明するための図である。そして、図８（ａ）は図１に示すマスタースタジオ１００で撮影されたカラーチャート画像データ（マスターチャート画像データ）を示す図であり、図８（ｂ）は図１に示す個別スタジオ１１０で撮影されたカラーチャート画像データを示す図である。
【００７８】
ここでは、カラーチャートとして、例えば、グレタグマクベス社のＣｏｌｏｒ  Ｃｈｅｃｋｅｒなどの全ての色相を満遍なく網羅して、平均輝度のグレーパッチを含むグレー３階調以上を有するカラーチャートが用いられる。
【００７９】
カラーチャート画像データ８１０および８３０はそれぞれグレーパッチ８１１および８３１を有している。グレーパッチ８１１および８３１において、パッチＤ１〜Ｄ５はそれぞれ異なる階調を有し、パッチＤ１が最も輝度が高い。そして、パッチＤ５が最も輝度が低い。パッチＤ３は、パッチＤ１の輝度とパッチＤ５の輝度との平均輝度であり、コントラスト設定の影響を受けにくい。図示の例では、露出決定の後にコントラスト値が決定されるため、パッチＤ３が露出判定に用いられる。
【００８０】
図３に示す調整撮影制御部３２１から露出調整の比較を依頼されると、比較部３１７は、マスターチャート画像データおよび自スタジオにおいて撮影したカラーチャート画像データからパッチＤ３を検出する。
【００８１】
なお、カラーパッチを検出する手法は、例えば、特開２００７−８１６８０号公報に記載されており、予めカラーパッチの座標を登録するか又は同一の色領域における配列を色値で検出する。
【００８２】
比較部３１７は、マスターチャート画像データのカラーパッチＤ３および自スタジオ撮影のカラーチャート画像データのカラーパッチＤ３の輝度値を画像データから検出して、これら輝度値の差分を求める。調整撮影制御部３２１は、露出関連パラメータを変えて撮影した際の輝度値の差分が前回の露出関連パラメータ値で撮影した際の差分よりも大きくなると、前回撮影の際の露出関連パラメータ値が適正であると判定する。
【００８３】
再び図３および図７を参照して、調整撮影制御部３２１は露出関連パラメータを変更しつつ比較部３１７から差分を得て、前述のように輝度値の差分が異なるか否かについては判定する（ステップＳ７０４）。差分が異ならないと（ステップＳ７０４において、ＮＯ）、調整撮影制御部３２１は露出調整処理を終了する。
【００８４】
一方、差分が異なると（Ｓ７０４でＹＥＳ）、つまり、輝度が異なると、調整撮影制御部３２１は自スタジオ撮影のカラーチャート画像データの輝度がマスターチャート画像データの輝度に近づくように、露出関連撮影パラメータを１段変更する（Ｓ７０５）。ここでは、例えば、絞り値を増減させることによって露出の増減を行う。
【００８５】
つまり、調整撮影制御部３２１は撮影パラメータ制御部３１８に対して、絞り値を１段変更するように依頼する。これによって、撮影パラメータ制御部３１８は、リモート制御部３１５を介して撮像装置１１２の絞り値を変更する。
【００８６】
上述のようにして、露出関連撮影パラメータを変更した後、調整撮影制御部３２１は再びカラーチャート１１４のリモート撮影を行う（ステップＳ７０６）。そして、撮影の結果得られたカラーチャート画像データは撮影画像保存部３１６に保存される。その後、調整撮影制御部３２１は、再び比較部３１７によって、パッチＤ３のグレーについてマスターチャート画像データおよび自スタジオ撮影のカラーチャート画像データにおける輝度値の差分を求める。
【００８７】
前述のようにして、調整撮影制御部３２１は、露出関連パラメータを変えて撮影した際の輝度値の差分が前回の露出関連パラメータ値で撮影した際の差分よりも小さくなったか否かを判定する（ステップＳ７０７）。つまり、調整撮影制御部３２１は自スタジオ撮影のカラーチャート画像データの輝度がマスターチャート画像データの輝度に近づいたか否かを判定することになる。
【００８８】
輝度値の差分が前回の差分以上となると（ステップＳ７０７において、ＮＯ）、調整撮影制御部３２１は前回の絞り値を自スタジオにおける絞り値として決定する（ステップＳ７０８）。一方、輝度値の差分が前回の差分よりも小さくなると（Ｓ７０７でＹＥＳ）、調整撮影制御部３２１は自スタジオのカラーチャート画像データが更にマスターチャート画像データの輝度に近づくように露出関連撮影パラメータを１段変更する（ステップＳ７０９）。そして、調整撮影制御部３２１はステップＳ７０６に戻って処理を続行する。
【００８９】
図９は、調整項目がコントラスト調整である際の図３に示す調整撮影制御部３２１の処理を説明するためのフローチャートである。
【００９０】
図３および図９を参照して、コントラスト調整が開始されると、調整撮影制御部３２１は、比較部３１７に依頼して、グレーパッチの各々についてその輝度値の差分を求める（ステップＳ９０１）。
【００９１】
適正なコントラストを判定する際には、まず比較部３１７は、図８（ａ）に示すマスターチャート画像データ８１０の各グレーパッチ８１１と、自スタジオのカラーチャート画像８３０の各グレーパッチ８３１の輝度値を画像データから取得する。そして、比較部３１７はこれら輝度値の差分を求める。そして、調整撮影制御部３２１は各グレーパッチの輝度値の差分に応じてコントラスト値の変更が必要であるか否かを判断する。
【００９２】
例えば、マスターチャート画像データ８１０と比べて、自スタジオのカラーチャート画像データ８３０のパッチＤ１およびＤ２の輝度が低く、パッチＤ４およびＤ５の輝度が高いとする。この場合、マスターチャート画像データ８１０に自スタジオの撮影画像データ８３０を近づけるには、コントラスト値を上げる（高くする）必要がある。
【００９３】
また、グレーチャート各色の輝度値の合計の差分（グレー差分）を求め、コントラスト値を変えて撮影した際の輝度値の合計の差分が、前回のコントラスト値で撮影した時より大きければ、前回撮影の際のコントラスト値の方が適正であると判定することができる。
【００９４】
調整撮影制御部３２１は撮影パラメータ制御部３１８に対して、絞り値を１段変更するように依頼する。これによって、撮影パラメータ制御部３１８は、リモート制御部３１５を介して撮像装置１１２の絞り値を変更する。
【００９５】
上述のようにして、調整撮影制御部３２１は比較部３１７から比較結果を受けて、コントラストの変更が必要であるか否かについて判定する（ステップＳ９０２）。コントラストの変更が必要でないと判定すると（ステップ９０２において、ＮＯ）、調整撮影制御部３２１はコントラスト調整処理を終了する。
【００９６】
一方、コントラストの変更が必要であれば（Ｓ９０２でＹＥＳ）、調整撮影制御部３２１はコントラスト値を１段変更する（Ｓ９０３）。これにより、自スタジオのカラーチャート画像データ８３０がマスターチャート画像データ８１０のグレーパッチ８１１の各グレーパッチの輝度に近づくようになる。
【００９７】
調整撮影制御部３２１は撮影パラメータ制御部３１８に対して、コントラス値を１段変更するように依頼する。これによって、撮影パラメータ制御部３１８は、リモート制御部３１５を介して撮像装置１１２のコントラスト値を変更する。
【００９８】
コントラスト値を変更した後、調整撮影制御部３２１は再びカラーチャート１１４のリモート撮影を行う（ステップＳ９０４）。そして、撮影の結果得られたカラーチャート画像データは撮影画像保存部３１６に保存される。その後、調整撮影制御部３２１は再び比較部３１７によって、パッチＤ３のグレーについてマスターチャート画像データおよび自スタジオ撮影のカラーチャートデータについてグレーパッチおける輝度値の差分を求める。
【００９９】
調整撮影制御部３２１は、グレーパッチ８１１の輝度値の合計とグレーパッチ８３１の輝度値の合計との差分が前回の差分よりも小さくなったか否かを判定する（ステップＳ９０５）。つまり、調整撮影制御部３２１は自スタジオ撮影のカラーチャート画像データの輝度がマスターチャート画像データの輝度（つまり、露光量）に近づいたか否かを判定することになる。
【０１００】
輝度値の合計の差分が前回の差分以上となると（ステップＳ９０５において、ＮＯ）、調整撮影制御部３２１は前回のコントラスト値を自スタジオにおけるコントラスト値として決定する（ステップＳ９０６）。一方、輝度値の合計の差分が前回の差分よりも小さくなると（ステップＳ９０５において、ＹＥＳ）、調整撮影制御部３２１はコントラスト値を１段変更する（ステップＳ９０７）。これにより、自スタジオのカラーチャート画像データの輝度値の合計が更にマスターチャート画像データの輝度値の合計に近づくようになる。そして、調整撮影制御部３２１はステップＳ９０４に戻って処理を続行する。
【０１０１】
図１０は、調整項目が色味調整である際の図３に示す調整撮影制御部３２１の処理を説明するためのフローチャートである。
【０１０２】
図３および図１０を参照して、色味調整が開始されると、調整撮影制御部３２１は撮影画像保存部３１６に保存されているカラーチャート画像データのグレーパッチを用いてホワイトバランスを調整する（ステップＳ１００１）。なお、画像データに応じてホワイトバランスを調整する手法は周知であるので説明を省略する。
【０１０３】
適正な色味を判定する際には、まず、比較部３１７が図８（ａ）に示すマスターチャート画像データ８１０のカラーパッチ８１３の各色と、図８（ｂ）に示す自スタジオのカラーチャート画像データ８３０のカラーパッチ８３３の各色の色相・彩度を取得する。そして、比較部３１７は各色毎に色相および彩度の差分（色差分ともいう）を求める。
【０１０４】
ここで、色相および彩度の差分を合計した値を、色値ズレ量とすると、調整撮影制御部３２１は色値ズレ量が最も大きい色が優先して調整するべき色であると判定する。そして、色値ズレ量が最も大きい色から順に、マスターチャート画像データの色値に近付くように、調整撮影制御部３２１０は撮影パラメータの「色合い」および「色の濃さ」を修正する。そして、調整撮影制御部３２１０は色値ズレ量が最も小さくなるまで撮影パラメータの変更と撮影とを繰り返して、マスターチャート画像データ８１０の色味に自スタジオのカラーチャート画像データ８３０の色味を近づける。
【０１０５】
なお、撮像装置１１２においてその色変換マトリクスを変更できる場合には、色合い・色の濃さを変更する前に色変換マトリクスを調整するようにしてもよい。また、全ての色の色値ズレ量を合計した合計値を、色値ズレ量合計値として保持して、調整撮影制御部２２１は調整色に関して適正な色味となる撮影パラメータを判断する際に用いる。
【０１０６】
ホワイトバランスの調整を行った後、調整撮影制御部３２１は比較部３１７に依頼して、カラーパッチ８３３の各色について、色値ズレ量を算出する。そして、調整撮影制御部３２１はカラーパッチにおいて最も色値ズレ量が大きい色を、以後調整撮影を行う際の調整色として選択する（ステップＳ１００２）。ただし、既に調整色として用いた色については除外する。
【０１０７】
続いて、調整撮影制御部３２１は、前述したようにして、リモート撮影を指示して、撮像装置１１２がカラーチャート１１４を撮影する（ステップＳ１００３）。
【０１０８】
そして、調整撮影制御部３２１は比較部３１７によって前回の撮影パラメータで撮影した際の色値ズレ量の合計と、今回の撮影パラメータで撮影した際の色値ズレ量の合計とを比較する（ステップＳ１００４）。調整撮影制御部３２１は今回の色値ズレ量の合計が前回の色値ズレ量の合計よりも小さいか否かを判定する。今回の色値ズレ量の合計が前回の色値ズレ量の合計以上であると（ステップＳ１００４において、ＮＯ）、調整撮影制御部３２１は前回の色の濃さおよび色合い値が今回の調整色に関して最も適正な色味となる撮影パラメータであると判定する（ステップＳ１００５）。そして、撮像装置１１２に当該撮影パラメータを再設定する。
【０１０９】
続いて、調整撮影制御部３２１は全カラーパッチについて色味調整を実施したか否かを判定する（ステップＳ１００６）。つまり、調整撮影制御部３２１はまだ選択していない調整色があるか否かについて判定する。全カラーパッチについて色味調整を実施していないと（ステップＳ１００６において、ＮＯ）、調整撮影制御部３２１はステップＳ１００２の処理に戻って、調整色の選択を行う。一方、全カラーパッチについて色味調整を実施していると（ステップＳ１００６において、ＹＥＳ）、調整撮影制御部３２１は色味調整を終了する。
【０１１０】
今回の色値ズレ量の合計が前回の色値ズレ量の合計よりも小さい場合には（ステップＳ１００４において、ＹＥＳ）、調整撮影制御部３２１は今回の撮影パラメータ（色合いおよび色の濃さ）が前回までの撮影パラメータよりも好適であるとする。そして、さらに好適な撮影パラメータがあるか否かを調査するため、調整撮影制御部３２１は選択した調整色に関してその色値ズレ量が前回の色値ズレ量も小さいか否かを判定する（ステップＳ１００７）。
【０１１１】
調整色の色値ズレ量が前回の色値ズレ量以上であると（Ｓ１００７でＮＯ）、色値ズレ量の合計が前回の合計より小さい場合であっても、調整撮影制御部３２１は当該調整色に関してはその適正撮影パラメータは前回の色合いおよび色の濃さであるとする。そして、ステップＳ１００５の処理に進む。
【０１１２】
調整色の色値ズレ量が前回の色値ズレ量よりも小さいと（Ｓ１００７でＹＥＳ）、選択した調整色に関してさらに好適な撮影パラメータを見つかる可能性があるため、調整撮影制御部３２１は色値ズレ量の合計を更新して保存する（ステップＳ１００８）。
【０１１３】
次に、調整撮影制御部３２１は色値ズレ量のうち彩度値および色相値のズレ量を比較して、彩度値が色相値よりも大きくずれているか否かについて判定する（ステップＳ１００９）。つまり、調整撮影制御部３２１は、彩度のズレ量から色相のズレ量を減算した結果（差分）が予め定められた閾値以上であるか否かを判定することになる。彩度値が色相値よりも大きくずれていないと（ステップＳ１００９において、ＮＯ）、つまり、彩度値と色相値とのズレ量が予め定められた閾値未満であると、調整撮影制御部３２１は色相が近付く方向に色の濃さを修正する（ステップＳ１０１０）。
【０１１４】
一方、彩度値が色相値より大きくずれていると（ステップＳ１００９において、ＹＥＳ）、つまり、彩度値と色相値とのズレ量が予め定められた閾値以上であると、調整撮影制御部３２１は彩度が近付く方向に色合いを修正する（ステップＳ１０１１）。そして、調整撮影制御部３２１はステップＳ１００３の処理に戻って、処理を続行する。
【０１１５】
上述のようにして、個別スタジオの撮影環境専用にカスタマイズした撮影シーンに特化した撮影パラメータを得ることができる。この撮影パラメータは、個別スタジオ専用の撮影パラメータ保存部３２４に格納されて、商用撮影時の際に必要に応じて読み出される。
【０１１６】
上述の第１の実施形態では、色味調整の際に、全てのカラーパッチ８３３について一度だけ好適な撮影パラメータを探索しているが、精度を上げるために、次の手法を用いるようにしてもよい。
【０１１７】
例えば、図１０に示すステップＳ１００２においては、カラーパッチのうち最も色値ズレ量が大きい色を、調整撮影を行う際の調整色として選択するが、この際、既に調整色として用いた色についても選択の対象とする。そして、ステップＳ１００４における処理では、色値ズレ量の合計を用いずに色値ズレ量の二乗の合計を用いる。このようにすると、色値ズレ量が突出したカラーパッチを減らして全体が平均化されるため調整の精度を上げることができる。
【０１１８】
ステップＳ１００８においては、カラーパッチの各色について、色値ズレ量を求めて色値ズレ量の二乗の合計が保存される。ステップＳ１００６において、全カラーパッチについて調整色選択実施したか否かについて判定するのではなく、色値ズレ量の二乗の合計が、所定の閾値として設定した値より小さくなるまでを判定する。又は、規定の回数だけ色味調整を行ったか否かを判定するようにしてもよい。
【０１１９】
このようにして、第１の実施形態では、撮影スタジオに専門知識を備える技術スタッフがいない場合であっても、撮影スタジオ毎に撮像装置の撮影パラメータを簡単に調整することができる。よって、数の撮影スタジオにおいて色味が統一されて、品質基準を維持することができることになる。
【０１２０】
（第２の実施形態）
続いて、本発明の第２の実施形態による撮影設定調整システムの一例について説明する。
【０１２１】
図１１は、本発明の第２の実施形態による撮影設定調整システム１１００の一例についてその構成を示す図である。
【０１２２】
図示の撮影設定調整システム１１００は、撮像装置１１２０を有しており、この撮像装置１１２０には露出パラメータ調整装置が備えられている。撮影設定調整システム１１００は、パーソナルコンピュータ（ＰＣ）からなる情報処理装置１１１０を有し、この情報処理装置１１１０は撮像装置１１２０に接続されている。さらに、撮影設定調整システム１１００は撮影パラメータを調整する際に撮影される被写体である所定のカラーチャート１１４０、被写体を照明する照明装置１１３０、１１３１、および１１３２を有している。
【０１２３】
図示の撮像装置１１２０は、自機に設定されたシャッタースピード、絞り、ＩＳＯスピード、および色変換マトリクスなどの撮影パラメータと撮影した画像データを情報処理装置１１１０に送信する機能を備えている。さらに、撮像装置１１２０は、情報処理装置１１１０から撮影パラメータを受信して自機の撮影パラメータとして設定する機能を備えるとともに、情報処理装置１１１０からのリモート撮影指示を受信して撮影を実行する機能を備えている。
【０１２４】
情報処理装置１１１０は、撮像装置１１２０に対して撮影パラメータを送信する機能およびリモート撮影を指示する機能を備える。また、情報処理装置１１１０は撮像装置１１２０に設定された撮影パラメータおよび画像データを受信する機能を有している。
【０１２５】
図１２は、図１１に示す撮像装置１１２０および情報処理装置１１１０のハード構成を説明するための図である。
【０１２６】
情報処理装置１１１０はＣＰＵ（中央処理装置）１２１０を有しており、ＣＰＵ１２１０は、メモリ１２４０に格納された制御プログラムに応じて、後述する処理の制御を行う。メモリ１２４０は、例えば、ＲＡＭ、ＲＯＭ、およびハードディスクからなる記憶装置であり、前述の制御プログラムの他、各種パラメータおよび入力画像データなどが格納される。
【０１２７】
通信部１２６０はネットワーク又は公衆回線を介して撮像装置１１２０とデータ（画像データなど）の送受を行う。そして、メモリ１２４０に格納されたプログラム、データ、および処理結果は、通信部１２６０によって撮像装置１１２０と入出力される。
【０１２８】
操作部１２３０は、例えば、キーボードおよびポインティングデバイスを有しており、ユーザ（操作者）は操作部１２３０によって情報処理装置１１１０に各種指示を入力する。例えば、画像の入力、露出パラメータ調整の開始、又は露出パラメータを調整した結果である撮影パラメータを撮像装置１１２０に送信する指示は、操作部１２３０から情報処理装置１１１０に入力される。
【０１２９】
表示部１２５０は、例えば、カラーディスプレイ装置などのユーザインターフェースであり、ここには、入力画像および露出パラメータなどの設定値が表示される。
【０１３０】
画像処理部１２２０は、操作部１２３０からの指示に応じて、表示部１２５０に表示された表示画像について、露出パラメータ調整結果に基づいて所定の画像処理を行って表示部２１５０に表示する。
【０１３１】
撮像装置１１２０は、撮像素子１２５１を有しており、この撮像素子１２５１は光学像を電気信号（アナログ信号）に変換して出力する。このアナログ信号はＡ／Ｄ変換器１２６１によってデジタル信号（画像信号）に変換されて、画像処理部１２２１およびメモリ１２４１に与えられる。画像処理部１２２１は、Ａ／Ｄ変換器１２６１からの出力又はメモリ１２４１に格納された画像データに対してホワイトバランス処理を行うとともに、所定の画素補間処理および色変換処理を行う。さらに、画像処理部１２２１は撮影の結果得られた画像データを用いて所定の演算処理を行う。
【０１３２】
撮像装置１１２０はコントローラ１２１１を有しており、このコントローラ１２１１は撮像装置１１２０全体の動作を制御する。そして、コントローラ１２１１はメモリ１２４１および通信部１２６２が接続されている。
【０１３３】
メモリ１２４１は、撮影の結果得られた静止画像データを格納するためのものであり、所定枚数の静止画像データを格納するための十分な容量を備えている。そして、複数枚の静止画像データを連続して得る連写撮影の際にも、高速かつ大量の画像書き込みをメモリ１２４１に対して行うことができる。また、メモリ１２４１はコントローラ１２１１の作業領域としても用いられる。前述のように、Ａ／Ｄ変換器１２６１の出力は画像処理部１２２１を介して又は直接メモリ１２４１に書き込まれる。
【０１３４】
通信部１２６２は、ＲＳ２３２Ｃ、ＵＳＢ、ＩＥＥＥ１３９４、Ｐ１２８４、ＳＣＳＩ、モデム、ＬＡＮ、又は無線通信等の各種通信機能を有し、撮像装置１１２０を他の機器、例えば、情報処理装置１１１０と接続する。そして、通信部１２６２によって、撮像装置１１２０は情報処理装置１１１０又はプリンタ等の周辺機器（図示せず）との間で画像データおよび撮影パラメータの設定値を転送することができる。
【０１３５】
図１３は、図１１に示す撮影設定調整システム１１００における露出パラメータ調整の事前準備を説明するためのフローチャートである。
【０１３６】
露出パラメータの調整を行う際には、事前に操作者は、所定のグレーを含むカラーチャート（図示せず）を所定の位置に設置する（ステップＳ１３１０）。そして、操作者は撮像装置１１２０と情報処理装置１１１０とを接続して、（ステップＳ１３２０）、事前準備を終了する。
【０１３７】
図１４は、図１２に示す撮像装置１１２０が撮影指示を受けた際の動作を説明するためのフローチャートである。また、図１５は、図１２に示す撮像装置１１２０が撮影パラメータを受けた際の動作を説明するためのフローチャートである。なお、図１４および図１５に示す処理は、メモリ１２４１に格納されたプログラムに応じてコントローラ１２１１が実行する。
【０１３８】
図１２および図１４を参照して、撮像装置１１２０の電源が投入されると、コントローラ１２１１はフラグおよび制御変数などを初期化する。そして、後述する撮影指示が１２６２を介して情報処理装置１１１０からコントローラ１２１１に通知されると（ステップＳ１４１０）、コントローラ１２１１は距離データなどに基づいて撮影レンズのフォーカシングレンズを駆動して被写体に焦点を合わせる。
【０１３９】
さらに、コントローラ１２１１は測光データに従ってシャッター（図示せず）を開放し撮像素子１２５１を露光する（ステップＳ１４２０）。コントローラ１２１１は撮像素子１２５１の露光終了を待ち、撮像素子１２５１から電荷信号（電気信号）を読み出す。この電気信号はＡ／Ｄ変換器１２６１を介して、画像処理部１２２１に与えられ、画像処理部１２２１はデジタル信号（画像信号）に対してデジタル露出補正、ホワイトバランス補正、および色処理などを行って画像データとする。そして、この画像データはメモリ１２４１に書き込まれる（ステップＳ１４３０）。コントローラ１２１１はメモリ１２４１に格納された画像データを、通信部１２６２を介して情報処理装置１１１０に送信する（ステップＳ１４５０）。
【０１４０】
続いて、図１２および図１５を参照して、コントローラ１２１１は通信部１２６２を介して情報処理装置１１１０から撮影パラメータを受信する（ステップＳ１５１０）。そして、コントローラ１２１１は撮影パラメータを受信すると、メモリ１２４１に保持されている撮影パラメータを、当該受信した撮影パラメータで更新する（ステップＳ１５２０）。
【０１４１】
図１６は、図１２に示す情報処理装置１１１０の表示部１２５０に表示されるＧＵＩ（グラフィックユーザインタフェース）画面の一例を示す図である。
【０１４２】
図１２および図１６を参照して、情報処理装置１１１０が撮像装置１１２０に接続されると、ＣＰＵ１２１０は撮像装置１１２０が接続されたことを検知して、所定のプログラムを起動する。そして、ＣＰＵ１２１０は表示部１２５０に図１６に示す操作画面（ＧＵＩ画面）１６００を表示する。操作画面１６００には、画像表示領域１６１０（色空間平面）と露出パラメータ制御領域１６０１とが表示される。図１６に示す例では、露出パラメータ制御領域１６０１には、各露出パラメータについて、調整対象１６２０、撮影パラメータ名１６３０、撮影時のパラメータ値１６４０、および露出調整後のパラメータ値１６５０が表示される。また、露出調整位置指定ボタン１６６０も表示される。
【０１４３】
さらに、操作画面１６００には、撮影指示ボタン１６８０および撮影パラメータ送信ボタン１６７０が表示される。これら撮影指示ボタン１６８０および撮影パラメータ送信ボタン１６７０は、情報処理装置１１１０が撮像装置１１２０と接続されている場合にのみ押下可能である。そして、遠隔操作によって撮像装置１１２０から画像データを受信する場合および撮影パラメータを撮像装置１１２０に送信する場合に押下げられる。
【０１４４】
図１７は、図１２に示す情報処理装置１１１０において操作者から撮影指示を受けた際の処理を説明するためのフローチャートである。
【０１４５】
図１２および図１７を参照して、いま、図１６に示す撮影指示ボタン１６８０を操作者が押下げると、ＣＰＵ１２１０は通信部１２６０を介して撮像装置１１２０に撮影指示を送信する（ステップＳ１７１０）。そして、前述したように、撮像装置１１２０から画像データを受信する（ステップＳ１７２０）。
【０１４６】
画像データを受信すると、ＣＰＵ１２１０は表示部１２５０に当該画像データに係る画像を表示する（ステップＳ１７３０）。さらに、ＣＰＵ１２１０は、受信した画像データに含まれる撮影パラメータから露出パラメータを抽出し、この露出パラメータを、図１６に示す撮影時のパラメータ値１６４０のカラムに表示する（ステップＳ１７４０）。
【０１４７】
露出パラメータを調整する際には、撮像装置１１２０における撮影パラメータのうち露出パラメータの設定値が適正でない場合に、調整対象の露出パラメータを任意に指定して調整が行われる。
【０１４８】
まず、操作者は図１６に示す調整対象１６２０のチェックボックス１６２１にチェックを入れる。これによって、調整対象の露出パラメータが決定される（ステップＳ１７５０）。そして、操作者はチェックした露出パラメータについて、調整対象１６２０のテキスト入力欄１６２２に調整の重み付けを指定して（ステップＳ１７６０）、露出パラメータの調整が終了する。
【０１４９】
ここで、重み付けとは、露出調整に用いる露出パラメータ毎に変更量の割合を指定することをいう。図１６に示す例では、露出パラメータとして絞り（Ａｐｅｒｔｕｒｅ）、ＩＳＯスピード（ＩＳＯ  Ｓｐｅｅｄ）が調整対象パラメータとされ、絞りの重み付けが”２”、ＩＳＯスピードの重み付けが”１”となっている。
【０１５０】
なお、露出調整前に操作者が任意の調整対象パラメータおよび重み付けを行うようにしてもよく、撮影スタジオにおいて標準の調整対象パラメータとその重み付けとを予め準備するようにしてもよい。
【０１５１】
図１８は、図１２に示す情報処理装置１１１０における露出調整位置指定の際の処理を説明するためのフローチャートである。
【０１５２】
図１２および図１８を参照して、上述のようにして指定（設定）が完了した後、操作者が露出調整位置指定ボタン１６６０を押下げると、ＣＰＵ１２１０は露出調整位置を指定するモードとする。そして、操作者は操作部１２３０のポインティングデバイスを用いて図１６に示す画像表示領域１６１０において、所定のグレーを撮影した部分を指定する（ステップＳ１８１０：露出調整位置指定）。
【０１５３】
なお、撮影方法によって所定のグレーの位置が分かっている場合には、操作者による位置指定は省略することも可能である。
【０１５４】
上記のグレー指定に応じて、ＣＰＵ１２１０は指定位置周辺画素（所定の領域の画素）の平均輝度値を求める（ステップＳ１８２０）。続いて、ＣＰＵ１２１０は平均輝度値に基づいて露出判定を行って、当該露出における輝度と適正露出（所定の露出）時の輝度との差分から露出調整段数を求める（ステップＳ１８３０）。
【０１５５】
次に、ＣＰＵ１２１０は露出調整可能であるか否かについて判定する（ステップＳ１８４０）。つまり、ＣＰＵ１２１０は露出調整段数が調整可能な範囲を超えているか否かについて判定することになる。露出調整段数が調整可能な範囲を超えていると（ステップＳ１８４０において、ＮＯ）、ＣＰＵ１２１０は露出調整不能である旨表示部１２５０に表示して（ステップＳ１８５０）、処理を終了する。
【０１５６】
一方、露出調整段数が調整可能な範囲であると（Ｓ１８４０でＹＥＳ）、ＣＰＵ１２１０は露出パラメータ調整の重み付けに応じて、調整対象である各露出パラメータについて露出調整段数を割り振って、露出変更段数を決定する（ステップＳ１８６０）。なお、露出調整段数および露出調整の重み付けについては後述する。
【０１５７】
続いて、ＣＰＵ１２１０は、変更後の露出パラメータの値を、図１６に示す露出パラメータ制御領域１６０１の露出調整後のパラメータ値１６５０に表示する（ステップＳ１８７０）。さらに、ＣＰＵ１２１０は決定した露出調整段数（露出変更段数）に応じて、図１６に示す画像表示領域１６１０に表示された表示画像をデジタル露出補正して再表示して（ステップＳ１８８０）、処理を終了する。
【０１５８】
図１９は、図１２に示す情報処理装置１１１０において露出パラメータが個別に入力され際の処理を説明するためのフローチャートである。
【０１５９】
前述のようにして、表示画像が再表示された際に、操作者は露出が適正でないと判断すると、図１６に示す露出パラメータ制御領域１６０１の露出調整後のパラメータ値１６５０において露出パラメータの値を手入力する（ステップＳ１９１０）。ＣＰＵ１２１０は入力された露出パラメータ値に応じて、画像表示領域１６１０の表示画像をデジタル露出補正して再表示して（ステップＳ１９２０）、処理を終了する。
【０１６０】
そして、操作者が図１６に示す撮影パラメータ送信ボタン１６７０を押下げると、ＣＰＵ１２１０は調整後の各露出パラメータ値を撮影パラメータとして撮像装置１１２０に送信する。
【０１６１】
図２０は図１８で説明した露出判定における露出調整段数および重み付けを説明するための図である。そして、図２０（ａ）は露出調整位置指定において平均輝度値に応じて露出調整量を求める際に用いられる表を示す図であり、図２０（ｂ）は、露出調整量から露出調整段数を求める際に用いられる表を示す図である。また、図２０（ｃ）は露出調整量から絞り変更量を求める際に用いられる表を示す図であり、図２０（ｄ）は露出調整量からＩＳＯスピードの変更量を求める際に用いられる表を示す図である。
【０１６２】
図２０を参照して、一般に、反射率１８％のグレーを適正露出で撮影すると、その撮影画像の輝度値は０〜２５６の中間である１２８付近の値になることが知られている。ここでは、例えば、反射率１８％のグレーを所定のグレーとして、所定のグレーを適正露出で撮影した際に得られた画像の輝度値を適正露出の輝度値とする。
【０１６３】
また、撮像装置１１２０で設定可能な露出幅１／３段で±２段分、合計１３回撮影して実測した輝度値をその露出設定における輝度値とした。そして、隣合う実測輝度値の中間で上限および下限の輝度値を決めて、図２０（ａ）に示す露出調整量（単に調整量ともいう）。
【０１６４】
図２０（ａ）から、指定位置周辺画素の輝度値が”１１４”〜”１３０”の場合、調整量は”０”である。つまり、適正露出である。同様に、輝度値が”６９”〜”８３”の場合には、調整量は３（＋１段）となる。
【０１６５】
図２０（ａ）に示す例では、一般的な撮像装置の露出設定単位に合わせて１／３段単位としたが、１／２段又は１／９段などの単位で露出設定を行うことのできる撮像装置においては、当該単位で、図２０（ａ）と同様な表が作成される。
【０１６６】
また、図１１に示す照明装置１１３０、１１３１、および１１３２の場合には、０．１段単位で調整が可能な照明装置もあるので、照明装置１灯で撮影する場合には、この調整にも応用することができる。
【０１６７】
さらに、上述の例では各露出設定における輝度値の実測値を用いたが、実測値に基づいて最小自乗法により近似曲線を求めて、この近似曲線によって各露出設定における輝度値の中心を求めるようにしてもよい。
【０１６８】
露出調整量から露出補正段数を求める際には、例えば、指定された位置周辺画素の平均輝度値が”７０”である場合には、図２０（ａ）から露出調整量は”３”となる。図２０（ｂ）において、適正露出（露出補正＝０）のＩＮＤＥＸは”７”であるので、図２０（ｂ）において、”７＋３＝１０”で示されるＩＮＤＥＸ１０における露出補正段数＝＋１が求める露出補正段数となる。そして、図１６に示す画像表示領域１６１０に表示された画像に露出調整段数（露出補正段数ともいう）によってデジタル露出補正を行うと、適正露出で撮影した画像が模擬表示されることになる。
【０１６９】
露出調整量から絞り変更量を求める際には、露出調整段数（つまり、露出補正量）を求める場合と同様にして、例えば、指定された位置周辺画素の平均輝度値が”７０”である場合、図２０（ａ）から、露出調整量は”３”となる。
【０１７０】
例えば、図１８に示すステップＳ１７６０において、露出パラメータ制御領域１６０１における調整対象露出パラメータの重み付けを絞り”２”、ＩＳＯスピードを”１”に設定したとする。この場合、露出調整量”３”を絞りとＩＳＯスピードで分配するために、絞りの調整量は３×２÷（２＋１）＝２となる。
【０１７１】
撮影時における絞り設定値が図２０（ｃ）に示すＦ１１であると、ＩＮＤＥＸ＝１０となる。よって、絞りの調整量”２”をＩＮＤＥＸに加算して、図２０（ｃ）に示すＩＮＤＥＸ＝１０＋２＝１２の絞りＦ１４が求める絞り値となる。
【０１７２】
露出調整量からＩＳＯスピードの変更量を求める際には、図２０（ｃ）で説明したようにして、ＩＳＯスピードの変更量が求められる。例えば、撮影時におけるＩＳＯスピードが”４００”、図２０（ａ）において露出調整量が”３”、重み付けが絞りで”２”、ＩＳＯスピードで”１”であるとすると、図２０（ｄ）から求めるＩＳＯスピードは５００となる。
【０１７３】
ところで、調整対象の露出パラメータの重み付け設定の合計値では、露出調整量の値を割り切れない場合には、端数は重み付けの強い露出パラメータから順に割り振るようにする。例えば、撮影時の絞り値Ｆ１１、ＩＳＯスピード４００で、調整対象露出パラメータの重み付けが絞り”２”、ＩＳＯスピード”１”、そして、露出調整量が”２”である場合には、絞り値は調整されて絞りＦ１４となるが、ＩＳＯスピードは変わらず４００となる。
【０１７４】
上述のように、適正露出±２段程度の輝度値を予め定めて、撮影した所定のグレーの輝度値を比較することによって適正露出調整段数を容易に求めることができる。
【０１７５】
このようにして、第２の実施形態によれば、使用頻度等によって照明装置の発光量が変化しても、容易に露出調整を行うことができ、調整の難しい多灯照明の個別調整頻度を少なくすることができる。そして、操作者は露出調整後の画像を確認しつつ、適正な露出の画像を得るための露出パラメータを容易に得ることができる。
【０１７６】
上述の説明から明らかなように、図２において、リモート制御部２０５および配信制御部２０４が画像取得手段および撮影パラメータ取得手段として機能する。また、配信制御部２０４およびスタジオ間通信制御部２０６が撮影情報配信手段として機能する。
【０１７７】
また、図３において、スタジオ間通信制御部３１４、マスター撮影パラメータ保存部３１２、撮影パラメータ制御部３１８、およびリモート制御部３１５が撮影パラメータ設定手段として機能する。さらに、調整撮影制御部３２１、リモート制御部３１５、および撮影画像保存部３１６がサブ画像取得手段として機能する。そして、比較部３１７および調整撮影制御部３２１が撮影パラメータ変更手段として機能する。加えて、調整撮影制御部３２１、警告表示制御部３２０、およびＵＩ部３１９が警告手段として機能する。
【０１７８】
さらに、図１２において、ＣＰＵ１２１０および画像処理部１２２０が表示制御手段として機能し、ＣＰＵ１２１０が輝度算出手段、露出調整決定手段、およびパラメータ調整手段として機能する。そして、ＣＰＵ１２１０および通信部１２６０が送信手段として機能し、ＣＰＵ１２１０および表示部１２５０が警告手段として機能する。
【０１７９】
以上、本発明について実施の形態に基づいて説明したが、本発明は、これらの実施の形態に限定されるものではなく、この発明の要旨を逸脱しない範囲の様々な形態も本発明に含まれる。
【０１８０】
例えば、上記の実施の形態の機能を制御方法として、この制御方法を、マスター撮影処理装置、サブ撮影処理装置、又は情報処理装置に実行させるようにすればよい。また、上述の実施の形態の機能を有する制御プログラムを、マスター撮影処理装置、サブ撮影処理装置、又は情報処理装置が備えるコンピュータに実行させるようにしてもよい。
【０１８１】
この際、制御方法及び制御プログラムの各々は、少なくとも画像取得ステップ、撮影パラメータ取得ステップ、撮影情報配信ステップ、撮影パラメータ設定ステップ、サブ画像取得ステップ、および撮影パラメータ変更ステップを有している。また、制御方法及び制御プログラムの各々は、少なくとも表示制御ステップ、輝度算出ステップ、露出調整決定ステップ、パラメータ調整ステップ、再表示制御ステップを有するようにしてもよい。
【０１８２】
なお、制御プログラムは、例えば、コンピュータに読み取り可能な記録媒体に記録される。
【０１８３】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１８４】
１００  マスタースタジオ
１０２，１１２，１２２  撮像装置
１０３，１１１，１２１  情報処理装置
１０４，１１４，１２４  カラーチャート
１１０，１２０  個別スタジオ
２０４  配信制御部
２０５，３１５  リモート制御部
３２０  警告表示制御部
３２１  調整撮影制御部
【図２】
2012195760.tif 000003
【図３】
2012195760.tif 000004
【図４】
2012195760.tif 000005
【図５】
2012195760.tif 000006
【図６】
2012195760.tif 000007
【図７】
2012195760.tif 000008
【図９】
2012195760.tif 000009
【図１０】
2012195760.tif 000010
【図１２】
2012195760.tif 000011
【図１３】
2012195760.tif 000012
【図１４】
2012195760.tif 000013
【図１５】
2012195760.tif 000014
【図１７】
2012195760.tif 000015
【図１８】
2012195760.tif 000016
【図１９】
2012195760.tif 000017
【図２０】
2012195760.tif 000018
【図１】
2012195760.tif 000019
【図８】
2012195760.tif 000020
【図１１】
2012195760.tif 000021
【図１６】
2012195760.tif 000022